(57)【特許請求の範囲】
【請求項１】
吸込口と吹出口を備えると共に、前記吸込口と前記吹出口とを連通する通風路を有する本体と、
前記吸込口から前記通風路に室内空気を吸い込む送風手段と、
前記通風路に設けられ、吸い込まれた空気を通過させる空気浄化手段と、
前記本体に室内の汚れを検知する汚れ検知手段と、
前記送風手段の制御を行う制御部を備えた空気清浄機において、
前記制御部には、前記汚れ検知手段の検知信号をもとに室内の汚れ度を判定する汚れ決定手段と、
所定の風量Ｖ１で時間Ｔ１運転した後、前記風量Ｖ１よりも小さな風量Ｖ２で運転する就寝モードを備えており、
前記汚れ決定手段による汚れ度に応じて時間Ｔ１を変更し、
さらに、前記制御部には、使用者が部屋の広さを設定する設定手段を設け、入力された部屋の広さおよび前記汚れ決定手段の信号により時間Ｔ１、風量Ｖ１、風量Ｖ２を変更することを特徴とした空気清浄機。
【請求項２】
前記汚れ決定手段による汚れ度に応じて風量Ｖ２を変更することを特徴とした請求項１の空気清浄機。
【請求項３】
前記汚れ決定手段による汚れ度に応じて風量Ｖ１を変更することを特徴とした請求項１もしくは請求項２の空気清浄機。
【請求項４】
時間Ｔ１は最大で所定時間ＴＭＡＸとした請求項１から請求項３いずれかの空気清浄機。
【発明の詳細な説明】
【技術分野】
【０００１】
本発明は、一般家庭や事務所等で使用される空気清浄機で、就寝時に使用される動作に関するものである。
【背景技術】
【０００２】
従来、送風機能のあるエアコンなどの空気調和機は、就寝（おやすみ運転）モードを使用者が選択すると、通常時より風量を下げたり、使用者が設定した就寝時用風量に変更するものが知られている。（例えば、特許文献１参考）
以下、上記空気調和機の動作について図９〜１１を参照しながら説明する。
【０００３】
室内に空気を送出する送風ファン２１３を備える空気調和機の制御方法であって、おやすみ運転開始指示部３１２からのおやすみ運転開始指示に基づいておやすみ運転を開始するおやすみ運転開始手順（Ｓ１−１）と、前記おやすみ運転中に、前記送風ファンの回転速度を変更する制御手順（Ｓ１−２）とを備えることを特徴とする空気調和機の制御方法である。
【０００４】
これにより、就寝時にうるさくなく、寝入りやすい風量で就寝できるメリットがある。
【先行技術文献】
【特許文献】
【０００５】
【特許文献１】特開２０１１−２５２６５５号公報
【発明の概要】
【発明が解決しようとする課題】
【０００６】
しかしながら、上記のような空気調和機における「おやすみ運転」を空気清浄機に搭載した場合には、以下のような課題がある。
【０００７】
すなわち、「おやすみ運転」の開始時から風量を下げてしまうため、空気清浄効果も下がってしまい、寝室中にほこりやハウスダストが残ったまま就寝してしまうという課題がある。
【０００８】
そこで本発明は、上記従来の課題を解決するものである。使用者が“就寝モード（おやすみ運転）”開始してから実際に就寝するまではある程度の時間があることに注目し、“就寝モード”開始時からは一定時間ほこりやハウスダストを取る動作をし、寝入ったころに、使用者に風のあたらない静かなモードとすることにより、就寝前に部屋をきれいにし、就寝しやすい空気清浄機を提供することを目的とする。
【課題を解決するための手段】
【０００９】
そして、この目的を達成するために、吸込口と吹出口を備えると共に、前記吸込口と前記吹出口とを連通する通風路を有する本体と、前記吸込口から前記通風路に室内空気を吸い込む送風手段と、前記通風路に設けられ、吸い込まれた空気を通過させる空気浄化手段と、前記本体に室内の汚れを検知する汚れ検知手段と、前記送風手段の制御を行う制御部を備えた空気清浄機において、前記制御部には、前記汚れ検知手段の検知信号をもとに室内の汚れ度を判定する汚れ決定手段と、所定の風量Ｖ１で時間Ｔ１運転した後、前記風量Ｖ１よりも小さな風量Ｖ２で運転する就寝モードを備えており、前記汚れ決定手段による汚れ度に応じて時間Ｔ１を変更し、さらに、前記制御部には、使用者が部屋の広さを設定する設定手段を設け、入力された部屋の広さおよび前記汚れ決定手段の信号により時間Ｔ１、風量Ｖ１、風量Ｖ２を変更することを特徴とした空気清浄機を提供することを目的とする。
【発明の効果】
【００１０】
本発明によれば、使用者が就寝前に空気清浄機を就寝モードで起動することによって、寝入るまでの間（数分〜十数分）に部屋をきれいにすることができる。そして、寝入り前後ではそのきれいな状態をキープしつつ静かな空気清浄運転とできるため、使用者がより室内空気のきれいな状態でしずかに眠れるという効果を得ることができる。
【図面の簡単な説明】
【００１１】
【図１】本発明の空気清浄機を示す外観図
【図２】同空気清浄機の断面構成図
【図３】本発明の第１の実施の形態のブロック図
【図４】同空気清浄機の汚れ決定手段の一例を示す図
【図５】本発明の第１の実施の形態の制御を示すフローチャート
【図６】同空気清浄機の風量Ｖ1の一例を示す図
【図７】同空気清浄機の時間Ｔ1の一例を示す図
【図８】同空気清浄機の風量Ｖ2の一例を示す図
【図９】従来の空気調和機の一実施形態のシステム全体を示す構成図
【図１０】従来の空気調和機の一実施形態のリモコンのブロック構成図
【図１１】従来の空気調和機の一実施形態の室内機の制御部のおやすみ運転時の処理フローチャート
【発明を実施するための形態】
【００１２】
本発明の請求項１記載の空気清浄機は、吸込口と吹出口を備えると共に、前記吸込口と前記吹出口とを連通する通風路を有する本体と、前記吸込口から前記通風路に室内空気を吸い込む送風手段と、前記通風路に設けられ、吸い込まれた空気を通過させる空気浄化手段と、前記本体に室内の汚れを検知する汚れ検知手段と、前記送風手段の制御を行う制御部を備えた空気清浄機において、前記制御部には、前記汚れ検知手段の検知信号をもとに室内の汚れ度を判定する汚れ決定手段と、所定の風量Ｖ1で時間Ｔ1運転した後、前記風量Ｖ1よりも小さな風量Ｖ2で運転する就寝モードを備えており、前記汚れ決定手段による汚れ度に応じて時間Ｔ1を変更することを特徴とする。
【００１３】
これにより、使用者が就寝前に空気清浄機を就寝モードで起動することによって、寝入るまでの間（数分〜十数分）に部屋をきれいにすることができる。そして、寝入り前後ではそのきれいな状態をキープしつつ静かな空気清浄運転とできるため、使用者がより室内空気のきれいな状態でしずかに眠れるという効果を得ることができる。
【００１４】
また、さらに、前記汚れ決定手段による汚れ度に応じて風量Ｖ2を変更する構成にしてもよい。
【００１５】
また、さらに、前記汚れ決定手段による汚れ度に応じて風量Ｖ1を変更する構成にしてもよい。
【００１６】
また、さらに時間Ｔ1は最大で所定時間ＴMAXとしてもよい。
【００１７】
これにより、使用者が就寝した後に静かな空気清浄運転ができる。
【００１８】
また、さらに前記制御部には、使用者が部屋の広さを設定する設定手段を設け、入力された部屋の広さおよび前記汚れ決定手段の信号により時間Ｔ1、風量Ｖ1、風量Ｖ2を変更する構成にしてもよい。
【００１９】
これにより、室内の広さに適した運転を行なうことができるので、より室内をきれいにする効果を有する。
【００２０】
以下、本発明の実施の形態について図面を参照しながら説明する。
【００２１】
（実施の形態１）
図１、２に示すように、本実施の形態による空気清浄機は、空気清浄機の本体１に吸入口２と、吹出口３を設け、吸入口２と、吹出口３とを連通する通風路７を有している。この通風路７には、吸入口２と、吹出口３の間に空気清浄のためのフィルタなどの空気浄化部９と、風量を変更するファンなどの送風部６が設けられている。さらに、吹出口３付近には、送風方向をかえる吹出ルーバー４が設けられている。
【００２２】
また、室内の空気の汚れを検知するために本体１の前面もしくは側面に汚れ検知手段１０を設けている。汚れ検知手段１０は、例えば発光素子と、受光素子と、レンズから構成され、発光素子からの照射光をホコリに照射し、ホコリからの反射光がレンズを通して受光素子で受光して、ホコリを検出するごとにパルス状の信号を出力することでホコリの数がカウントされるものが用いられる。
【００２３】
そして、前記送風部６、吹出ルーバー４の運転を制御する制御部８が設けられている。制御部８には、各種スイッチを備えた操作パネルが設けられており、使用者は、この操作パネルの操作によって、制御部８に対して、送風部６の運転風量、後述する運転モードや使用する部屋の広さなどの指示を行うようになっている。
【００２４】
図３に示すように、制御部８は、汚れ決定手段２１と出力制御部３１とタイマ部５１とで構成されている。使用者は、操作パネルの操作によって、運転モード（“通常モード”または“就寝モード”）と部屋の広さを出力制御部３１に対して指示する。
【００２５】
汚れ決定手段２１は、図４に示すように、出力として、少なくとも２つ以上（本実施の形態では６つ）の汚れ度を有している。汚れ度は、単位時間内での汚れ検知手段１０のパルスの数と関係がある。例えば、汚れ決定手段２１は、汚れ検知手段１０からのパルスの数が７であれば、汚れ度を３として決定するのである。
【００２６】
タイマ部５１は汚れ決定手段２１の汚れ度に応じて出力制御部への時間指令を行なう。出力制御部３１は、指示された運転モードと部屋の広さとタイマ部５１と汚れ決定手段２１の信号に応じて、送風部６の制御を行う。
【００２７】
出力制御部３１の動作についてさらに詳しく説明する。図５に示すように、この出力制御部３１は、使用者が寝る前に“就寝モード”を指定し空気清浄機を動作したとき（Ｓ６１）、風量Ｖ1を送風部６に指定する（Ｓ６２）。風量Ｖ1は、時間Ｔ1の間継続する。
【００２８】
この風量Ｖ1の一例を図６に示す。実験に基づいて、部屋の広さと汚れ度に対応して、部屋全体を十分に浄化できる風量Ｖ1テーブルが設定される。出力制御部３１は使用者が入力した部屋の広さと汚れ決定手段２１での室内の汚れ度から風量Ｖ1テーブルを参照することで、所定風量を送風部６へ指示する。たとえば、１８畳の部屋で汚れ度が５であれば、４．０ｍ3／ｍｉｎを指示する。
【００２９】
また、時間Ｔ1の一例を図７に示す。実験に基づいて、部屋の広さと汚れ度に対応して、部屋全体を十分に浄化できる時間Ｔ1テーブルが設定される。出力制御部３１は使用者が入力した部屋の広さと汚れ決定手段２１での室内の汚れ度から時間Ｔ1テーブルを参照することで、風量Ｖ1を所定時間の間送風部６へ指示する。たとえば、１８畳の部屋で汚れ度が５であれば、１５分を指示する。
【００３０】
この時間Ｔ1は最大で所定時間ＴMAXとし、上限を設けることにより、使用者が就寝中に風量の大きい風量Ｖ1で運転し続けることを防止することができる。
【００３１】
その後、時間Ｔ1経過後（Ｓ６４）、就寝中に気にならない静かな風量Ｖ2（例えば２９ｄＢ以下）を送風部６に指定する（Ｓ６５）。
【００３２】
このとき、風量Ｖ2の一例を図８に示す。実験に基づいて、部屋の広さと汚れ度に対応して、部屋全体を十分に浄化できる風量Ｖ2テーブルが設定される。出力制御部は使用者が入力した部屋の広さと汚れ決定手段２１での室内の汚れ度から風量Ｖ2テーブルを参照することで、所定風量を送風部６へ指示する。たとえば、１８畳の部屋で汚れ度が５であれば、２．０ｍ3／ｍｉｎを指示する。なお、風量Ｖ2での運転は睡眠中であるので、風量の最大値ＶMAXを固定しておき、この最大値ＶMAXを超えないように運転する。その後、使用者が、“通常モード”を指定した場合、出力制御部３１は、使用者が設定した風量を送風部６に指示することになる（Ｓ６３）。
【００３３】
このように、本実施の形態における空気清浄機は、使用者が就寝モードを指示すると、寝付くまでの時間帯には、室内の汚れ度に応じて大きな風量Ｖ1で運転し、寝付いた後には小さな風量Ｖ2で運転する。就寝モード中のそれぞれの運転には、以下の作用・効果がある。
【００３４】
寝付くまでの時間帯における風量Ｖ1運転では、使用者が寝るまでの起きている間に多少うるさくても、強めの風量で部屋のハウスダストやほこりをすばやく除去し、部屋をきれいにする。
【００３５】
図５では、時間Ｔ1経過したときに、室内の汚れ度に応じて風量Ｖ2を決定し、その後、そのままの風量で運転すると説明した。それに対し、Ｓ６５内では、所定時間間隔で室内の汚れ度を確認し、その室内の汚れ度に応じた風量Ｖ2を設定しなおしても良い。
【産業上の利用可能性】
【００３６】
本発明にかかる空気清浄機は、就寝しやすい環境をつくることができるものであり、家庭用や事務所用の加湿機能付空気清浄機や空気調和機、エアコンにも適用できる。
【符号の説明】
【００３７】
１  （空気清浄機の）本体
２  吸入口
３  吹出口
４  吹出ルーバー
６  送風部
７  通風路
８  制御部
９  空気浄化部（フィルタ）
１０  汚れ検知手段（ほこりセンサ）
２１  汚れ決定手段
３１  出力制御部
５１  タイマ部
【図１】
0006464356.tif 000002
【図２】
0006464356.tif 000003
【図３】
0006464356.tif 000004
【図４】
0006464356.tif 000005
【図５】
0006464356.tif 000006
【図６】
0006464356.tif 000007
【図７】
0006464356.tif 000008
【図８】
0006464356.tif 000009
【図９】
0006464356.tif 000010
【図１０】
0006464356.tif 000011
【図１１】
0006464356.tif 000012